(57)【要約】【課題】  ラックシステム又はスライドレールアセンブリに適用可能なブラケット装置。【解決手段】  ラックシステム用のブラケット装置は、側壁と、取付部材と、締結部材とを包含する。前記取付部材は、前記側壁に隣接して配置される。前記取付部材は、第１の頂点を有する。前記締結部材は、前記側壁に対して移動可能である。前記締結部材は、第２の頂点を有する支持部を包含する。前記締結部材がロック位置に位置するとき、前記支持部の前記第２の頂点及び前記取付部材の前記第１の頂点は、実質的に、長手方向に沿って同一縦向き位置に位置する。【選択図】  図６
2019209113.tif 000002
【特許請求の範囲】
【請求項１】
ラックと、
一対のスライドレールアセンブリと、
を含むラックシステムであって、
前記スライドレールアセンブリの各々は、少なくとも１つのブラケット装置を介して前記ラックの少なくとも１つの支柱に取り付けられ、前記一対のスライドレールは被搬送物を搬送するように構成され、前記被搬送物は前記一対のスライドレールアセンブリを通って長手方向に沿って移動可能であり、前記少なくとも１つのブラケット装置は、
側壁と、
前記側壁に隣接して配置された取付部材であって、前記取付部材は、前記ラックの前記少なくとも１つの支柱を通過するように構成された第１の頂点を有する取付部材と、
前記側壁に対して移動可能であって、且つ、ロック位置に位置するように構成された、又は前記ロック位置から離れるように移動されるように構成された締結部材であって、前記締結部材は支持部を含み、前記支持部は第２の頂点を有する、締結部材と、
を含み、
前記締結部材が前記ロック位置から離れるように移動されるとき、前記支持部は前記取付部材から離れている、
前記締結部材が前記ロック位置に位置するとき、前記支持部は前記取付部材に隣接し、且つ、前記支持部の前記第２の頂点及び前記取付部材の前記第１の頂点は、同一の縦向き位置に前記長手方向に沿って実質的に位置する、
前記締結部材が前記ロック位置に位置し、且つ、前記被搬送物が所定の位置に位置するとき、前記第２の頂点は前記被搬送物に当接するように構成されている、
ラックシステム。
【請求項２】
前記締結部材は、縦向き部分と、前記縦向き部分に対して曲げられた横断部とをさらに含み、前記支持部は、前記横断部から前記長手方向に沿って第１の所定距離だけ延びており、
前記締結部材は、前記横断部から前記長手方向に沿って第２の所定距離だけ延長された延長壁をさらに含み、前記第２の所定距離は前記第１の所定距離よりも小さく、前記延長壁は前記支持部に連結されている、
請求項１に記載のラックシステム。
【請求項３】
前記締結部材は、前記側壁に対して枢支され、前記締結部材は、弾性部材の弾性力に応じて前記ロック位置に保持されるように構成されている、請求項１に記載のラックシステム。
【請求項４】
前記スライドレールアセンブリの各々は、第１のレールと、前記第１のレールに対して移動可能な第２のレールとを含み、前記第１のレールは、前記少なくとも１つのブラケット装置を介して前記ラックの前記少なくとも１つの支柱に取り付けられており、前記第２のレールは前記被搬送物を搬送するように構成されている、
前記被搬送物が前記第２のレールを介して前記第１のレールに対して前記所定の位置に位置するときに、前記締結部材が前記ロック位置から離れるのを防止するため、前記第２のレールは前記締結部材の前記縦向き部分の側部に隣接している、
請求項２に記載のラックシステム。
【請求項５】
第１のレールと、
前記第１のレールに対して長手方向に沿って移動可能な第２のレールと、
前記第１のレールをラックに取り付けるように構成されている少なくとも１つのブラケット装置と、
を含むスライドレールアセンブリであって、
前記少なくとも１つのブラケット装置は、
側壁と、
前記側壁に隣接して配置された取付部材であって、前記取付部材は前記ラックの支柱を貫通するように構成され、前記取付部材は前記支柱の一側面を超える第１の頂点を有する、取付部材と、
前記側壁に対して移動可能であって、且つ、ロック位置に位置するように構成された締結部材であって、前記締結部材は支持部を含み、前記支持部は第２の頂点を有する、締結部材と、
を含み、
前記締結部材が前記ロック位置から離れるように移動されるとき、前記支持部は前記取付部材から離れている、
前記締結部材が前記ロック位置に位置するとき、前記支持部は前記取付部材に隣接し、且つ、前記支持部の前記第２の頂点及び前記取付部材の前記第１の頂点は、同一の縦向き位置に前記長手方向に沿って実質的に位置する、
スライドレールアセンブリ。
【請求項６】
前記締結部材は、縦向き部分と、前記縦向き部分に対して曲げられた横断部とをさらに含み、前記支持部は、前記横断部から前記長手方向に沿って第１の所定距離だけ延びており、
前記締結部材は、前記横断部から前記長手方向に沿って第２の所定距離だけ延長された延長壁をさらに含み、前記第２の所定距離は前記第１の所定距離よりも小さく、前記延長壁は前記支持部に連結されている、
請求項５に記載のスライドレールアセンブリ。
【請求項７】
前記第２のレールは、被搬送物を搬送するように構成されており、
前記被搬送物が前記第２のレールを介して前記第１のレールに対して所定の位置に位置するときに、前記締結部材が前記ロック位置から離れるのを防止するため、前記第２のレールは前記締結部材の前記縦向き部分の側部に隣接している、
請求項６に記載のスライドレールアセンブリ。
【請求項８】
側壁と、
前記側壁に隣接して配置された取付部材であって、前記取付部材は第１の頂点を有する、取付部材と、
前記側壁に対して移動可能であって、且つ、ロック位置に位置するように構成された締結部材であって、前記締結部材は支持部を含み、前記支持部は第２の頂点を有する、締結部材と、
を含むブラケット装置であって、
前記支持部の前記第２の頂点及び前記取付部材の前記第１の頂点は、同一の縦向き位置に長手方向に沿って実質的に位置するように構成されている、
ブラケット装置。
【請求項９】
前記締結部材は、縦向き部分と、前記縦向き部分に対して曲げられた横断部とをさらに含み、前記支持部は、前記横断部から前記長手方向に沿って第１の所定距離だけ延びており、
前記締結部材は、前記横断部から前記長手方向に沿って第２の所定距離だけ延長された延長壁をさらに含み、前記第２の所定距離は前記第１の所定距離よりも小さく、前記延長壁は前記支持部に連結されている、
請求項８に記載のブラケット装置。
【請求項１０】
前記締結部材は、前記側壁に対して枢支され、且つ、当該ブラケット装置は、前記締結部材に弾性力を提供するための弾性部材をさらに含み、
前記締結部材は、前記締結部材を前記ロック位置から離れるように
移動するように操作される操作部をさらに含む、
請求項９に記載のブラケット装置。
【発明の詳細な説明】
【技術分野】
【０００１】
１．発明の分野
本発明は、ブラケット装置に関し、より詳細には、ラックシステム又はスライドレールアセンブリに適用可能なブラケット装置に関する。
【背景技術】
【０００２】
２．従来技術の説明
図１及び図２に示すように、ラックシステムでは、被搬送物１０２（電気装置、シャーシ又は引き出しなど）をスライドレールアセンブリ１０４のブラケット装置１０６を介してラック（ラックの支柱１０８など）に取り付けることができる。具体的には、前記スライドレールアセンブリ１０４を介して引き出し位置(extension  position)Ｅに位置させるため、前記被搬送物１０２を前記ラックから引き出すことができるか、又は、引き込み位置(retracted  position)Ｒに位置させるため、前記被搬送物１０２を前記引き出し位置Ｅから前記ラック内に押し込むことができる。
【０００３】
図３に示すように、前記ブラケット装置１０６は、図３に示すように、取付部材１１０と締結部材１１２とを含む。前記取付部材１１０は、前記支柱１０８の取付穴に挿入されるように構成されている。前記締結部材１１２は、ロック位置Ｐ１に配置されるか、又は前記ロック位置Ｐ１から離れるように構成される。ここで、前記締結部材１１２が前記ロック位置Ｐ１にあるとき、前記締結部材１１２の締結部１１４は、前記支柱１０８をロックするように構成されている。例えば、前記締結部材１１２の前記締結部１１４は、前記支柱１０８をブロックするために前記支柱１０８の前方にある。このような状態で、前記取付部材１１０がＤ方向（例えば、逆方向）に沿って前記支柱１０８の前記取付穴から外れるのを防止することができる。
【０００４】
図４に示すように、時には、現場のスタッフは、ブラケット装置１０６を介してラックの支柱１０８に取り付けられたスライドレールアセンブリ１０４の衝撃試験を行う必要がある。衝撃力が大きすぎるならば、取付部材１１０が支柱１０８の取付穴から、トレランスによって方向Ｄに沿ってわずかに後退することがある。それにより、さらに締結部材１１２をロック位置Ｐ１から離してロック解除位置Ｐ２に位置させるため、締結部材１１２の締結部１１４は、支柱１０８に当たるように駆動される。換言すれば、締結部材１１２の締結部１１４は、もはや支柱１０８をロックしない。このような状態では、スライドレールアセンブリ１０４が、被搬送物１０２にダメージを与えるように、ポスト１０８から脱落するか、又は人々を傷つける可能性がある。したがって、スライドレールアセンブリ１０４は、いくつかの安全上の懸念を有する。他方、引き出し位置Ｅから引き込み位置Ｒに移動するため、被搬送物１０２が方向Ｄに沿って強い力で押されるとき、被搬送物１０２の耳部１０３が取付部材１１０に強く当たるおそれがある。このような状態では、締結部材１１２がロック解除位置Ｐ２に位置するため、ロック位置Ｐ１から離れるようにショックを受ける可能性があり、同様の問題が生じる。したがって、信頼性の高い製品を開発することが重要である。
【発明の概要】
【発明が解決しようとする課題】
【０００５】
発明の概要
本発明は、ラックシステム又はスライドレールアセンブリに適用可能なブラケット装置に関する。
【課題を解決するための手段】
【０００６】
本発明の一実施形態によれば、ラックシステムは、ラックと一対のスライドレールアセンブリとを含む。前記スライドレールアセンブリの各々は、少なくとも１つのブラケット装置を介して前記ラックの少なくとも１つの支柱に取り付けられている。前記一対のスライドレールは被搬送物を搬送するように構成されている。前記被搬送物は前記一対のスライドレールアセンブリを通って長手方向に沿って移動可能である。前記少なくとも１つのブラケット装置は、側壁と、取付部材と、締結部材とを含む。前記取付部材は前記側壁に隣接して配置されている。前記取付部材は、前記ラックの前記少なくとも１つの支柱を通過するように構成された第１の頂点を有する。前記締結部材は前記側壁に対して移動可能であって、且つ、ロック位置に位置するように構成された、又は前記ロック位置から離れるように移動されるように構成されている。前記締結部材は支持部を含む。前記支持部は第２の頂点を有する。ここで、前記締結部材が前記ロック位置から離れるように移動されるとき、前記支持部は前記取付部材から離れている。ここで、前記締結部材が前記ロック位置に位置するとき、前記支持部は前記取付部材に隣接し、且つ、前記支持部の前記第２の頂点及び前記取付部材の前記第１の頂点は、同一の縦向き位置に前記長手方向に沿って実質的に位置する。ここで、前記締結部材が前記ロック位置に位置し、且つ、前記被搬送物が所定の位置に位置するとき、前記第２の頂点は前記被搬送物に当接するように構成されている。
【０００７】
本発明の別の実施形態によれば、スライドレールアセンブリは、第１のレールと、第２のレールと、少なくとも１つのブラケット装置とを含む。前記第２のレールは、前記第１のレールに対して長手方向に沿って移動可能である。前記少なくとも１つのブラケット装置は、前記第１のレールをラックに取り付けるように構成されている。前記少なくとも１つのブラケット装置は、側壁と、取付部材と、締結部材とを含む。前記取付部材は前記側壁に隣接して配置されている。前記取付部材は前記ラックの支柱を貫通するように構成されている。前記取付部材は前記支柱の一側面を超える第１の頂点を有する。前記締結部材は前記側壁に対して移動可能であって、且つ、ロック位置に位置するように構成されている。前記締結部材は支持部を含む。前記支持部は第２の頂点を有する。ここで、前記締結部材が前記ロック位置から離れるように移動されるとき、前記支持部は前記取付部材から離れている。ここで、前記締結部材が前記ロック位置に位置するとき、前記支持部は前記取付部材に隣接し、且つ、前記支持部の前記第２の頂点及び前記取付部材の前記第１の頂点は、同一の縦向き位置に前記長手方向に沿って実質的に位置する。
【０００８】
本発明の別の実施形態によれば、ブラケット装置は、側壁と、取付部材と、締結部材とを含む。前記取付部材は前記側壁に隣接して配置されている。前記取付部材は第１の頂点を有する。前記締結部材は、前記側壁に対して移動可能であって、且つ、ロック位置に位置するように構成されている。前記締結部材は支持部を含む。前記支持部は第２の頂点を有する。ここで、前記支持部の前記第２の頂点及び前記取付部材の前記第１の頂点は、同一の縦向き位置に長手方向に沿って実質的に位置するように構成されている。
【０００９】
本発明のこれら及び他の目的は、様々な図及び図面に示されている好ましい実施形態の以下の詳細な説明を読めば、当業者には明らかになるであろう。
【図面の簡単な説明】
【００１０】
図面の簡単な説明
【図１】図１は、従来技術のラックシステムを示す図であり、ここでは、被搬送物がスライドレールアセンブリを介してラックに対して引き出し位置に位置する。
【図２】図２は、従来技術の前記スライドレールアセンブリを介して前記ラックに対する引き込み格納位置に位置する前記被搬送物を示す図である。
【図３】図３は、図２の領域Ａの拡大図である。
【図４】図４は、前記ラックの支柱をロックすることなく、従来技術のブラケット装置の締結部材を示す図である。
【図５】図５は、本発明の第１実施形態に係るラックシステムを示す図である。
【図６】図６は、本発明の前記第１の実施形態に係るスライドレールアセンブリを示す図である。
【図７】図７は、本発明の前記第１の実施形態に係る前記スライドレールアセンブリの分解図である。
【図８】図８は、ブラケット装置を介してラックに取り付けられる前記スライドレールアセンブリの第１のレールを示す図であって、ここでは、締結部材が本発明の前記第１の実施形態に係るある位置に位置する。
【図９】図９は、前記ブラケット装置を介して前記ラックに取り付けられる前記スライドレールアセンブリの前記第１のレールを示す図であって、ここでは、前記締結部材が本発明の前記第１の実施形態による前記位置から離れるように移動されている。
【図１０】図１０は、本発明の前記第１の実施形態に係る前記ラックシステムを示す図であって、ここでは、被搬送物が前記スライドレールアセンブリを介して前記ラックに対して引き出し位置に位置する。
【図１１】図１１は、本発明の前記第１の実施形態に係る前記ラックシステムを示す図であって、ここでは、前記被搬送物が前記スライドレールアセンブリを介して前記ラックに対して所定の位置に位置する。
【図１２】図１２は、図１１の領域Ａの拡大図であって、ここでは、前記締結部材の支持部の第２の頂点と取付部材の第１の頂点とが同一の縦向き位置に位置する。
【図１３】図１３は、本発明の第２の実施形態に係るラックシステムを示す図であって、ここでは、締結部材の支持部の第２の頂点は、前記取付部材の前記第１の頂点の縦向き位置のわずかに後方の縦向き位置に位置する。
【図１４】図１４は、本発明の第３の実施形態に係るラックシステムを示す図であって、ここでは、締結部材の支持部の第２の頂点は、前記取付部材の前記第１の頂点の縦向き位置のわずかに前方の縦向き位置に位置する。
【発明を実施するための形態】
【００１１】
詳細な説明
図５に示すように、ラックシステムはラック２２と、一対のスライドレールアセンブリとを含む（視野角のために１つのスライドレールアセンブリ２４のみが図示されている）。
【００１２】
前記ラック２２は、複数の支柱、例えば一対の第１の支柱２２ａ及び一対の第２の支柱２２ｂなど、を含む（視野角のために前記第２のポスト２２ｂの一方は図示せず）。具体的には、前記ラック２２の対向する２つの辺のそれぞれに、第１の支柱２２ａと第２の支柱２２ｂとが配置されている。本実施形態では、前記第１の支柱２２ａは前側支柱であり、前記第２の支柱２２ｂは後側支柱である。しかし、本発明はこれに限定されるものではない。
【００１３】
前記一対のスライドレール組立体２４は、前記ラック２２の前記対向する２つの辺にそれぞれ配置され、前記一対のスライドレールアセンブリ２４は、被搬送物２３を搬送するように構成されている。ここで、前記被搬送物２３は、本体部２３ａと、耳部２３ｂとを含む。前記耳部２３ｂは、前記本体部２３ａの前端に隣接して配置されている。前記スライドレールアセンブリ２４は、前記ラック２２の少なくとも１つの支柱に取り付けられるように構成された少なくとも１つのブラケット装置を有する。例えば、前記スライドレールアセンブリ２４は、第１のブラケット装置２６及び第２のブラケット装置２８を介して、第１の支柱２２ａ及び第２の支柱２２ｂに対応して取り付けられ得る。
【００１４】
図６及び図７に示すように、前記スライドレールアセンブリ２４は、長手方向に沿って前記第１のレール３０に対して移動可能な第１のレール３０及び第２のレール３２を含む。本実施形態において、前記第１のレール３０は、通路３４を画定する複数の壁を有する。前記通路３４は、前記第２のレール３２を移動可能に取り付けるように構成されているが、本発明はこれに限定されない。前記第１レール３０は、第１の端部３０ａ及び第２の端部３０ｂ、例えば前端部及び後端部など、を有する。前記第２のレール３２は前記被搬送物２３を搬送するように構成されている。さらに、前記第１のレール３０は、前記第１のブラケット装置２６及び前記第２のブラケット装置２８を介して前記ラック２２の第１の支柱２２ａ及び前記第２の支柱２２ｂに取り付けられるように構成される。
【００１５】
前記第２のブラケット装置２８は、前記スライドレールアセンブリ２４の前記第１のレール３０に対して調整可能である。例えば、前記第１のレール３０の裏側に補強部材３６が配置される。前記第２のブラケット装置２８は、前記補強部材３６に移動可能に接続され、前記第２のブラケット装置２８は、前記第１のレール３０の前記第２の端部３０ｂに隣接する位置に移動することができる。
【００１６】
前記第１のブラケット装置２６は、前記第１のレール３０の前記第１の端部３０ａに隣接して配置される。本実施形態では、前記第１のブラケット装置２６は、前記第１のレール３０に接続され、且つ、前記第１のレール３０の前記第１の端部３０ａに隣接している。前記第１のブラケット装置２６は、側壁３８と、少なくとも１つの取付部材４０と、締結部材４２とを含む。好ましくは、前記第１のブラケット装置２６は、前記側壁３８に対して実質的に垂直に曲がった端壁４４をさらに含む。本実施形態では、前記端壁４４は、前記側壁３８に実質的に垂直に接続されている。
【００１７】
本実施形態では、前記第１のブラケット装置２６は、２つの取付部材４０を含む。前記取付部材４０の各々は、前記側壁３８に隣接して配置される。本実施形態では、前記取付部材４０は、前記端壁４４に配置される。前記締結部材４２は、前記側壁３８に対して移動可能である。例えば、前記締結部材４２は、前記側壁３８に対して枢支される(pivoted)。さらに、前記締結部材４２は、シャフト部材４６を介して前記側壁３８の一対のラグ(lugs)４８に枢支される。弾性部材５０には、前記締結部材４２に弾性力を付与するように構成された弾性部５１が設けられている。前記締結部材４２は、前記弾性部材５０の弾性力に応じてロック位置Ｐ１に保持されるように構成されている。また、前記取付部材４０は、第１の頂点４７を有し、前記締結部材４２は、少なくとも１つの支持部５２を含む。本実施形態では前記締結部材４２は４つの支持部５２を含むが、本発明はこれに限定されるものではない。前記支持部５２の各々は、第２の頂点５４を有する。
【００１８】
図８に示すように、前記第１の支柱２２ａは、複数の取付穴５６を有する。他方、前記第１のレール３０は、前記第１のブラケット装置２６を介して前記ラック２２の前記第１の支柱２２ａに取り付けられるように構成されている。さらにまた、前記第１のブラケット装置２６の前記取付部材４０の前記第１の頂点４７は、前記ラック２２の前記第１の支柱２２ａの一側面を超えている。例えば、前記第１のブラケット装置２６の前記取付部材４０は、前記第１の支柱２２ａの前記取付穴５６を貫通し、それにより、前記取付部材４０の前記第１の頂点４７が前記第１の支柱２２ａの後側から前記第１の支柱２２ａの前側に移動する。ここで、前記第１のブラケット装置２６の前記締結部材４２が前記ロック位置Ｐ１に位置するとき、前記支持部５２は前記取付部材４０に隣接し、前記支持部５２の前記第２の頂点５４及び前記取付部材４０の前記第１の頂点４７は、同一の縦向き位置に前記長手方向に沿って実質的に位置する。本発明の第１の実施形態では、前記支持部５２の前記第２の頂点５４及び前記取付部材４０の前記第１の頂点４７は、実際には、前記長手方向に沿って前記同一の縦向き位置に位置する。好ましくは、前記締結部材４２は、縦向き部分５８と、横断部６０と、操作部分６２とをさらに含む。前記縦向き部分５８は、前記横断部６０と前記操作部分６２との間に接続される。前記横断部６０は、前記縦向き部分５８に対して曲げられている。好ましくは、前記支持部５２は、前記横断部６０から前記長手方向に沿って第１の所定距離Ｘ１だけ伸長される。前記締結部材４２は、前記横断部６０から前記長手方向に沿って第２の所定距離Ｘ２だけ延長された延長壁６４をさらに含む。前記第２の所定距離Ｘ２は前記第１の所定距離Ｘ１より小さい。前記延長壁６４は、前記支持部５２の構造的強度を強化するために前記支持部５２に連結されている。
【００１９】
図９に示すように、前記締結部材４２は、ロック解除位置Ｐ２に位置するように、前記ロック位置Ｐ１から離れるように移動されるように構成されている。好ましくは、使用者は、前記締結部材４２を前記ロック位置Ｐ１から前記ロック解除位置Ｐ２に移動させるため、前記操作部分６２を操作することができる。ここで、前記締結部材４２が前記ロック解除位置Ｐ２に位置するとき、前記支持部５２は前記取付部材４０から離れている。
【００２０】
さらに、前記締結部材４２が前記ロック位置Ｐ１にあるとき、前記締結部材４２（又は前記締結部材４２の前記横断部６０）は、前記第１の支柱２２ａをロックするように構成される（図８に示すように）。前記締結部材４２が前記ロック解除位置Ｐ２に位置するとき、前記締結部材４２（又は前記締結部材４２の前記横断部６０）は、前記第１の支柱２２ａをもはやロックしないので（図９に示すように）、前記取付部材４０は、前記第１の支柱２２ａの前記取付穴５６から離脱させることができる。
【００２１】
図１０及び図１１に示すように、前記スライドレールアセンブリ２４は、前記第１のブラケット装置２６及び前記第２のブラケット装置２８を介して、前記第１の支柱２２ａ及び前記第２の支柱２２ｂに対応して取り付けられ得る。ここで、前記締結部材４２は前記ロック位置Ｐ１に位置し、前記締結部材４２（又は前記締結部材４２の前記横断部６０）は、前記第１の支柱２２ａをロックするように構成されている（図１２も参照）。さらにまた、前記被搬送物２３は、前記スライドレールアセンブリ２４を介して前記長手方向に沿って移動可能である。本実施形態では、前記被搬送物２３は、前記第２のレール３２を介して前記第１のレール３０に対して前記長手方向に沿って、所定位置Ｒから引き出し位置Ｅまで移動可能であるか、又は、前記被搬送物２３は、前記引き出し位置Ｅから前記所定位置Ｒまで移動可能である。ここで、前記所定位置Ｒは、引き込み位置であり得る。
【００２２】
図１２に示すように、前記締結部材４２が前記ロック位置Ｐ１に位置し、前記被搬送物２３が前記所定位置Ｒに位置すると、前記締結部材４２の前記支持部５２の前記第２の頂点５４は、前記被搬送物２３の前記耳部２３ｂに当接するように構成されている。好ましくは、前記締結部材４２が前記ロック位置Ｐ１に位置するとき、前記締結部材４２の前記横断部６０は、前記第１の支柱２２ａの表面Ｓに近接する（又は隣接する）。
【００２３】
また、前記引き出し位置Ｅから前記所定位置Ｒへ方向Ｄに沿って移動するため、前記被搬送物２３が強い力で押されるとき、前記被搬送物２３の前記耳部２３ｂが前記締結部材４２の前記支持部５２の前記第２の頂点５４に強く当たるか、又は前記被搬送物２３の前記耳部２３ｂが前記取付部材４０の前記第１の頂点４７に強く当たってしまうことがある。このような状態で、前記スライドレールアセンブリ２４を前記方向Ｄに沿って僅かに後退させる。ここで、前記締結部材４２の前記横断部６０は、前記第１の支柱２２ａの前記表面Ｓに近接する（又は隣接する）ので、衝突のショックによって引き起こされる、前記締結部材４２が前記ロック位置Ｐ１から離れるように移動するために、前記締結部材４２の前記横断部６０は、前記スライドレールアセンブリ２４が前記方向Ｄに沿って僅かに後方に移動することに応じて前記表面Ｓに当接するように構成される。従って、前記ラック２２の前記第１の支柱２２ａに前記スライドレールアセンブリ２４又は前記第１のブラケット装置２６を取り付ける際の信頼性及び安全性を確保することができる。
【００２４】
好ましくは、前記被搬送物２３が前記第２のレール３２を介して前記第１のレール３０に対して前記所定の位置Ｒに位置するとき、前記締結部材４２が回転方向に沿って前記ロック位置Ｐ１から離れるように移動するのを防止するために前記締結部材４２をブロックするように、前記第２のレール３２の少なくとも一部（例えば、前側レールセクション）は、前記締結部材４２の縦向き部分５８の側部に隣接し、且つ、これに対応する。
【００２５】
図１３は、本発明の第２の実施形態に係る第１のブラケット装置２００を示す図である。具体的には、支持部２０２の第２の頂点２０４及び前記取付部材４０の前記第１の頂点４７は、実質的に、前記長手方向に沿って同一の縦向き位置に位置する。しかしながら、第２の実施形態では、前記支持部２０２の前記第２の頂点２０４の前記縦向き位置は、トレランスのために前記取付部材４０の前記第１の頂点４７の前記縦向き位置よりわずかに後ろである。締結部材２０１が前記ロック位置Ｐ１に位置し、且つ、前記被搬送物２３が、前記取付部材４０の前記第１の頂点４７に強く当たるため、前記引き出し位置Ｅから前記所定位置Ｒまで前記方向Ｄに沿って移動すると、前記スライドレールアセンブリは、前記方向Ｄに沿ってわずかに後退する。前記ロック位置Ｐ１における前記締結部材２０１の横断部２０６が前記第１の支柱２２ａの前記表面Ｓに隣接しているので、前記締結部材２０１の前記横断部２０６は、前記スライドレールアセンブリ２４が前記方向Ｄに沿って僅かに後方に移動するのに応じて前記表面Ｓに当接するように構成されている。また、前記被搬送物２３の前記耳部２３ｂは、衝突により前記支持部２０２に支持されたり、又は前記支持部２０２に当接したりするおそれがある。したがって、前記締結部材２０１が前記ロック位置Ｐ１から離れるように移動することが防止される。
【００２６】
図１４は、本発明の第３の実施形態に係る第１のブラケット装置３００を示す図である。具体的には、支持部３０２の第２の頂点３０４及び前記取付部材４０の前記第１の頂点４７は、前記長手方向に沿って実質的に同一の縦向き位置に位置する。しかし、第３の実施形態では、前記支持部３０２の前記第２の頂点３０４の前記縦向き位置は、トレランスによって前記取付部材４０の前記第１の頂点４７の前記縦向き位置よりわずかに手前にある。締結部材３０１が前記ロック位置Ｐ１に位置し、且つ、前記被搬送物２３が前記引き出し位置Ｅから前記所定位置Ｒに前記方向Ｄに沿って移動すると、前記被搬送物２３の前記耳部２３ｂは、前記締結部材３０１の前記支持部３０２の前記第２の頂点３０４に支持されか、又は前記締結部材３０１の前記支持部３０２の前記第２の頂点３０４に当接する。さらにまた、前記被搬送物２３が前記支持部３０２の前記第２の頂点３０４に前記方向Ｄに沿って強く当たると、前記締結部材３０１が前記ロック位置Ｐ１から離れるように移動することが防止される。前記締結部材３０１の横方向部分３０６が前記第１の支柱２２ａの前記表面Ｓに隣接しているためである。
【００２７】
したがって、本発明の前記ラックシステムは、以下のことを特徴とする。
【００２８】
１．前記締結部材（４２，２０１，３０１）が前記ロック位置Ｐ１に位置するとき、前記支持部（５２，２０２，３０２）の前記第２の頂点（５４，２０４，３０４）及び前記取付部材４０の前記第１の頂点４７は、実質的に前記長手方向に沿って同一の縦向き位置に位置する。前記第２の頂点（５４，２０４，３０４）は、前記被搬送物２３の前記耳部２３ｂに当接するか、又は前記被搬送物２３の前記耳部２３ｂを支持するように構成されている。
【００２９】
２．前記締結部材（４２，２０１，３０１）の前記横断部（６０，２０６，３０６）は、前記第１の支柱２２ａの表面Ｓに隣接しているので、前記締結部材（４２，２０１，３０１）の前記横断部（４２，２０１，３０１）は、衝突のショックにより、前記締結部材（４２，２０１，３０１）が前記ロック位置Ｐ１から離れるように移動するのを防止するため、外力又は衝撃力に応じて面前記表面Ｓに当接するように構成されている。それにより、前記締結部材（４２，２０１，３０１）が前記外力によって前記ロック位置Ｐ１から前記ロック解除位置Ｐ２まで離れるように自由に移動することができないようにする。したがって、前記ラック２２の前記第１の支柱２２ａに前記スライドレールアセンブリ２４又は前記第１のブラケット装置（２６，２００，３００）を取り付ける際の信頼性及び安全性を確保することができる。
【００３０】
３．前記被搬送物２３が前記第２のレール３２を介して前記第１のレール３０に対して前記所定の位置Ｒに位置するとき、前記締結部材（４２，２０１，３０１）が前記ロック位置Ｐ１から離れるように移動するのを防止するように、前記第２のレール３２の少なくとも一部は、前記締結部材の前記縦向き部分５８の側部に隣接している。
【００３１】
当業者であれば、本発明の教示を保持しながら、装置及び方法の多数の改変及び変更を行うことができることを容易に理解するであろう。したがって、上記の開示は、添付の請求項の範囲及び範囲によってのみ限定されると解釈されるべきである。
【符号の説明】
【００３２】
２４  スライドレールアセンブリ
２６  第１のブラケット装置
２８  第２のブラケット装置２８
４０  取付部材
４２  締結部材
４７  第１の頂点
５２  支持部
５４  第２の頂点
【図１】
2019209113.tif 000003
【図２】
2019209113.tif 000004
【図３】
2019209113.tif 000005
【図４】
2019209113.tif 000006
【図５】
2019209113.tif 000007
【図６】
2019209113.tif 000008
【図７】
2019209113.tif 000009
【図８】
2019209113.tif 000010
【図９】
2019209113.tif 000011
【図１０】
2019209113.tif 000012
【図１１】
2019209113.tif 000013
【図１２】
2019209113.tif 000014
【図１３】
2019209113.tif 000015
【図１４】
2019209113.tif 000016